(57)【要約】【課題】  従来の粘着ゴミ取りロールでは、ロール外周面にゴミが接着すると帯状シートの巻き終り端部が見えにくくなり、汚れたロール表層部分を剥がす作業が難しくなる。【解決手段】  片面に粘着剤２１を塗布した帯状シート２を巻回してなるロール体１の外面から芯管３に達する深さまでシート切り離し用の不連続切目４を形成した粘着ゴミ取りロールにおいて、ロール体１の端面１２における不連続切目４が形成された位置に、該不連続切目４の位置を示す目印５を設けていることにより、ロール外周面がゴミで汚れて巻き終り端部２０が見えにくくなっても、上記目印５により巻き終り端部２０の位置を簡単に見つけることができる。【選択図】  図２
2009000245.tif 000002
【特許請求の範囲】
【請求項１】
片面に粘着剤（２１）を塗布した帯状シート（２）を粘着剤塗布面が外面になる状態で芯管（３）の回りに巻回してロール体（１）を形成し、該ロール体（１）の外面から前記芯管（３）に達する深さまでシート切り離し用の不連続切目（４）を形成した粘着ゴミ取りロールにおいて、
前記ロール体（１）の少なくとも一方の端面（１２）における前記不連続切目（４）が形成された位置に、該不連続切目（４）の位置を示す目印（５）を設けた、
ことを特徴とする粘着ゴミ取りロール。
【請求項２】
請求項１において、帯状シート（２）の外面に、帯状シート（２）の巻き終り端部（２０）の剥がし方向を示す表示（２３）を施している、
ことを特徴とする粘着ゴミ取りロール。
【発明の詳細な説明】
【技術分野】
【０００１】
本願発明は、外周面に粘着剤を塗布した帯状シートをロール状に巻回してなる粘着ゴミ取りロールに関するものである。
【背景技術】
【０００２】
この種の粘着ゴミ取りロールとして、図４〜図５に示すものが知られている。尚、この種（図４〜図５）の粘着ゴミ取りロールの先行技術文献としては、例えば特開２００３−６１８８４号公報（特許文献１）に示されるものがある。
【０００３】
図４〜図５に示す従来の粘着ゴミ取りロールは、片面に粘着剤２１を塗布した帯状シート２を粘着剤塗布面が外面になる状態で芯管３の回りに巻回してロール体１を形成する一方、該ロール体１の外面から芯管３に達する深さまでシート切り離し用の不連続切目（ミシン目）４を形成して構成されている。
【０００４】
この従来の粘着ゴミ取りロールは、操作ハンドル６の軸６１部分に装着して、ロール外周面１１を掃除したい被清掃面（カーペットや床面等）に転動させることにより、ゴミＤ（図５）をロール外周面の粘着剤塗布面に接着させ得るようになっている。そして、ロール外周面１１がゴミＤで汚れると、巻き終り端部２０から帯状シート２を次の不連続切目４まで剥がして、該不連続切目４で切除することにより、ロール外周面に新しい粘着剤塗布面を露出させることができる。
【０００５】
【特許文献１】特開２００３−６１８８４号公報
【発明の開示】
【発明が解決しようとする課題】
【０００６】
ところで、この種の粘着ゴミ取りロールにおいて、不連続切目４部分は、単にミシン目加工をしただけであるので識別しにくいものである。又、帯状シート２の巻き終り端部２０は、順次不連続切目４を切断した部分に位置するが、この巻き終り端部２０はロール外周面に接着したままであるので識別しにくいものである。
【０００７】
そして、ロール表層の使用済みシート部分（一単位長さ）を剥ぎ取る際には、帯状シート２の巻き終り端部２０から剥がしていくが、該巻き終り端部２０は識別しにくい（見つけにくい）とともに、該巻き終り端部２０がどの方向に巻き終えているのかわかりにくい。特に、使用後はロール外周面１１の全周（粘着剤塗布面）にゴミＤが接着しているので、その接着ゴミＤによって帯状シート２の巻き終り端部２０が一層見えにくくなる。
【０００８】
従って、従来の粘着ゴミ取りロールでは、ロール外周面１１の使用済みシート部分を剥ぎ取る作業（巻き終り端部２０を見つけ出す作業）が難しいとともに時間がかかるという問題があった。
【０００９】
そこで、本願発明は、ロール表層の汚れたシート部分（一単位長さ）を剥ぎ取る際に、帯状シートの巻き終り端部を容易に見つけることができるようにした粘着ゴミ取りロールを提供することを目的としている。
【課題を解決するための手段】
【００１０】
本願発明は、上記課題を解決するための手段として次の構成を有している。尚、本願発明は、カーペットや床面等のゴミをロール外周面に接着させるための粘着ゴミ取りロールを対象にしている。
【００１１】
［本願請求項１の発明］
本願請求項１の粘着ゴミ取りロールは、片面に粘着剤を塗布した帯状シートを粘着剤塗布面が外面になる状態で芯管の回りに巻回してロール体を形成し、該ロール体の外面から芯管に達する深さまでシート切り離し用の不連続切目を形成したものである。
【００１２】
帯状シート、芯管、粘着剤等は、この種の粘着ゴミ取りロールとして従来から汎用されている材質のものが使用できる。尚、帯状シートに塗布される粘着剤は、一般に帯状シートの幅方向両端の所定小範囲の幅（例えば５mm程度の幅）には塗布されていない（無粘着部となっている）。
【００１３】
そして、本願の粘着ゴミ取りロールでは、ロール体の少なくとも一方の端面における不連続切目が形成された位置に、該不連続切目の位置を示す目印を設けている。この不連続切目位置を示す目印は、ロール体の一方の端面のみでもよいが、両方の端面に設けることが好ましい。又、この目印は、幅が例えば２〜５mm程度でロール体端面の外端から芯管端面に至る範囲に形成するとよい。尚、この目印は、識別し得るものであれば例えばロール体端面に掘り溝加工をしたものも採用できるが、インクで印刷したものが簡単且つ安価である。
【００１４】
本願の粘着ゴミ取りロールは、その芯管内に操作ハンドルの軸（回転体つき）を挿入し、該操作ハンドルのグリップ部を握って、ロール外周面を被清掃面（カーペットや床面等）に転動させることにより、粘着剤塗布面にゴミを接着させ得るようになっている。又、ロール外周面がゴミで汚れると、巻き終り端部から帯状シートを次の不連続切目まで剥がして、該不連続切目で切除することにより、ロール外周面に新しい粘着剤塗布面を露出させることができる。
【００１５】
ところで、帯状シートの巻き終り端部は順次不連続切目部分に位置するが、この不連続切目部分は、ロール外周面からは識別しにくく且つロール外周面がゴミで汚れていると一層見えにくくなる（巻き終り端部がロール外周面のどの位置にあるかわかりにくい）。
【００１６】
そこで、本願の粘着ゴミ取りロールでは、ロール体の端面に不連続切目の位置を示す目印を設けているので、巻き終り端部（不連続切目の位置にある）が見えにくくても該目印を見つけることにより、該巻き終り端部の位置を容易に確認できる。
【００１７】
［本願請求項２の発明］
本願請求項２の発明は、請求項１の粘着ゴミ取りロールにおいて、帯状シートの外面に、帯状シートの巻き終り端部の剥がし方向を示す表示を施している。この剥がし方向を示す表示は、帯状シートの幅方向両端部の無粘着部に施しておくと、そこにはゴミが接着しないので該表示がゴミで見えなくなることがない。又、この表示は、剥がし方向に矢印を印刷したものでよい。
【００１８】
本願発明の粘着ゴミ取りロールでは、上記請求項１のようにロール体端面に不連続切目（巻き終り端部）の位置を示す目印を設けているので、巻き終り端部の位置を容易に確認できるが、該巻き終り端部の位置を確認しても該巻き終り端部がいずれの方向に巻き終わっているか（どちらに巻き解けばよいか）見分けにくい。そこで、この請求項２のように、帯状シート外面に巻き終り端部の剥がし方向を示す表示を施しておけば、該巻き終り端部の剥がし方向を知ることができる。
【発明の効果】
【００１９】
［本願請求項１の発明の効果］
本願請求項１の粘着ゴミ取りロールでは、ロール体端面に不連続切目（帯状シートの巻き終り端部が位置する）の位置を示す目印を設けているので、ロール外周面がゴミで汚れて不連続切目（巻き終り端部）が見えにくくなっても、該目印を見ることで巻き終り端部の位置を容易に確認できる。
【００２０】
このように、請求項１の粘着ゴミ取りロールでは、ゴミで汚れた外周部の帯状シート（一単位長さ）を剥がす際に、該帯状シートの巻き終り端部を容易に見つけ出すことができるので、汚れた帯状シート部分の剥がし作業が容易になるという効果がある。
【００２１】
［本願請求項２の発明の効果］
本願請求項２の粘着ゴミ取りロールでは、帯状シート外面に巻き終り端部の剥がし方向を示す表示を施しているので、上記請求項１のように巻き終り端部を見つけ出した後に、上記表示により巻き終り端部の剥がし方向が容易に確認できる。
【００２２】
従って、この請求項２の粘着ゴミ取りロールでは、上記請求項１の効果に加えて、汚れた帯状シート部分の剥がし作業が一層容易になるという効果がある。
【発明を実施するための最良の形態】
【００２３】
以下、図１〜図３を参照して本願の実施例を説明すると、この実施例の粘着ゴミ取りロールは、従来の汎用品と同様に、片面に粘着剤２１を塗布した帯状シート２を粘着剤塗布面が外面になる状態で芯管３の回りに巻回してロール体１を形成し、該ロール体１の外面から芯管３に達する深さまでシート切り離し用の不連続切目４を形成したものである。
【００２４】
帯状シート２には、紙、プラスチックシート等が使用可能であるが、一般に比較的強靭に紙が使用されている。帯状シート２に塗布される粘着剤２１は、一般にホットメルトタイプのものが使用されている。芯管３は、一般に紙製のものが使用されている。尚、芯管３の外径は、例えば４０〜５０mm程度のものが一般的である。
【００２５】
帯状シート２の片面（外面）には、シート幅の両端にそれぞれ小範囲の幅Ｗ（図２）ずつ無粘着部２２，２２を残して全面に粘着剤２１が塗布されている。帯状シート２における粘着剤塗布面の裏側には、剥離処理剤が塗布されていて、該帯状シート２をロール状に巻回した状態でシート裏面に粘着剤２１が強く接着しないようにしている。
【００２６】
帯状シート２におけるシート幅両端の各無粘着部２２，２２部分には、その外面に巻き終り端部２０の剥がし方向を示す表示２３，２３を施している。このように各表示２３，２３をそれぞれ無粘着部２２，２２に施したものでは、該無粘着部２２部分にゴミＤ（図３）が接着しないので該表示２３が見えなくなることがない。尚、この表示２３，２３は、帯状シート２の長さ方向に所定小間隔をもって矢印を印刷したものでよい。
【００２７】
そして、この粘着剤付き帯状シート２は、粘着剤塗布面が外面になる状態で芯管３の回りに所定長さだけ巻回してロール体１を構成している。尚、芯管３に巻回された帯状シート２の外径は、一般に５０〜６０mm程度のものが多い。
【００２８】
ロール状に巻回された帯状シート２部分には、その外面から芯管３に達する深さまでシート切り離し用の不連続切目（ミシン目）４が形成されているが、この不連続切目４は、帯状シート２をロール状に巻回した後に、ミシン目刃をロール体１の外面からロール体軸心に向けて芯管３に達するまで打ち込んで一気に形成される。従って、この各不連続切目４は、ロールシートの内外各層の同位置に形成されている。
【００２９】
各不連続切目４は、この実施例では、図２に拡大図示するように切線部４１，４１・・が長く（例えば図２の寸法Ｌ＝１０〜１５mm）、その間の連続部４２，４２・・が短小（例えば図２の寸法Ｍ＝１〜２mm）に形成されている。又、不連続切目４におけるシート幅の一方の端部２ａは、該シート端縁から符号Ｎ（図２）で示すように３〜４mm程度の短小長さだけ連続部（非切断部）４３とし、該シート幅の他方の端部２ｂは、該シート端縁に達する位置まで切断部４１としている。
【００３０】
このように、不連続切目４におけるシート幅の一方の端部２ａを小長さ（３〜４mm程度）の連続部４３としていると、剥がし時において巻き終り端部２０の角部２０ａを摘まむときに下のシートを摘まむことができず、確実に表面の１枚（巻き終り端部２０の角部２０ａ）だけを剥がすことができる。又、帯状シート２を不連続切目４で切断する際には、切断部４１を形成している側のシート端部２ｂから切断すれば容易に切断できる。
【００３１】
この実施例の粘着ゴミ取りロールには、ロール体１の左右両端面１２，１２に、それぞれ不連続切目４の位置を示す目印５，５を付している。この各目印５，５は、インクで印刷したもので、幅が例えば２〜５mm程度だけロール体端面１２の外端から芯管３の端面に至る範囲に形成されている。尚、この目印５，５は、ロール体１に不連続切目４を形成する際に（ロール体１が固定された状態で）、それと同時又は前後して印刷するとよい。
【００３２】
この実施例の粘着ゴミ取りロールは、図１又は図３に示すように、その芯管３内に操作ハンドル６の軸（回転体つき）６１を挿入し、該操作ハンドル６のグリップ部６２を握って、ロール外周面１１を被清掃面（カーペットや床面等）に転動させることにより、ロール外周の粘着剤塗布面２１にゴミＤ（図３）を接着させ得るようになっている。又、ロール外周面１１がゴミＤで汚れると、巻き終り端部２０から帯状シート２を次の不連続切目４まで剥がして、該不連続切目４で切除することにより、ロール外周面１１に新しい粘着剤塗布面２１を露出させることができる。
【００３３】
ところで、帯状シート２の巻き終り端部２０は順次不連続切目４部分に位置するが、この巻き終り端部２０は、ロール外周面１１からは識別しにくく且つロール外周面１１がゴミｄ（図３）で汚れていると一層見えにくくなる（巻き終り端部２０がロール外周面１１のどの位置にあるかわかりにくい）。
【００３４】
そこで、上記のようにロール体１の端面１２，１２に不連続切目４の位置を示す目印５，５を付設しておくと、巻き終り端部２０（不連続切目４の位置にある）が見えにくくても該目印５を見つけることにより、該巻き終り端部２０の位置を容易に確認できる。従って、汚れたロール表層部分を剥がす際に、巻き終り端部２０を見つけ易くなる。
【００３５】
又、ロール外周面１１がゴミＤで汚れると、巻き終り端部２０が見えにくくなって、該巻き終り端部２０の剥がし方向がわかりにくくなるが、帯状シート２の各無粘着部２２，２２に巻き終り端部２０の剥がし方向を示す表示（矢印）２３，２３を施しているので、巻き終り端部２０の剥がし方向を容易に確認できる。従って、帯状シート２を正確に（間違わずに）剥がすことができる。
【００３６】
又、汚れた表層部分の帯状シート２を剥がすには、図２に鎖線図示（符号２０ａ′）するように巻き終り端部２０の角部２０ａから剥がしていくが、その際に不連続切目４におけるシート端部に連続部４３がある側（符号２ａ側）の角部を摘まむようにすると、下のシートの端部に切目がないので下のシートを同時に摘まむことがない（正確に表面の１枚のみを剥がせる）。尚、不連続切目４で帯状シート２を切断するには、該帯状シート２を１単位の長さだけ巻き解いた後、シート端部に切断部４１がある側（符号２ｂ側）から不連続切目４を切断すればよい。
【図面の簡単な説明】
【００３７】
【図１】本願実施例の粘着ゴミ取りロールの斜視図である。
【図２】図１の粘着ゴミ取りロールの一部拡大図である。
【図３】図１のＡ矢視図である。
【図４】従来の粘着ゴミ取りロールの斜視図である。
【図５】図４のＶ−Ｖ断面図である。
【符号の説明】
【００３８】
１はロール体、２は帯状シート、３は芯管、４は不連続切目（ミシン目）、５は目印、１１はロール外周面、１２はロール端面、２０は巻き終り端部、２１は粘着剤、２２は無粘着部、２３は剥がし方向を示す表示である。
【図１】
2009000245.tif 000003
【図２】
2009000245.tif 000004
【図３】
2009000245.tif 000005
【図４】
2009000245.tif 000006
【図５】
2009000245.tif 000007